(57)【要約】【課題】電池の電圧に応じて、自動加圧と手動加圧とを切替えることのできる電子血圧計を提供すること。【解決手段】電池の電圧が、所定値以上であるか否かを判断し、電池の電圧が所定値未満であると判断された場合に（ステップＳ４でＮＯ）、手動加圧手段による加圧の遂行を報知する（ステップＳ８）。手動加圧手段が筐体に接続されていると判断された場合に、手動加圧手段による処理を実行し（ステップＳ１８，Ｓ２０，Ｓ２２）、接続されていないと判断された場合に、自動加圧手段による処理を実行する（ステップＳ１４，Ｓ１６）。手動加圧手段または自動加圧手段による処理に基づいて、被測定者の血圧を算出する（ステップＳ２４）。【選択図】図６
2009195599.tif 000002
【特許請求の範囲】
【請求項１】
被測定者の血圧を測定するための電子血圧計であって、
電池と、
前記被測定者の所定の身体部位に巻き付けるためのカフと、
前記カフ内の圧力を検知するための検知手段と、
手動操作に応じて、前記カフを加圧するための第１の加圧手段と、
前記電池に蓄えられた電力を駆動源として前記カフを加圧するための第２の加圧手段と、
前記電子血圧計の制御を行なうための制御手段とを備え、
前記制御手段は、
前記電池の電圧が、所定値以上であるか否かを判断するための判断手段と、
前記判断手段により、前記電池の電圧が前記所定値未満であると判断された場合に、前記第１の加圧手段による加圧の遂行を報知する処理を行なうための報知処理手段と、
前記第１の加圧手段および前記第２の加圧手段のいずれか一方による加圧に応じて、前記被測定者の血圧を算出するための算出手段とを含む、電子血圧計。
【請求項２】
前記カフは、流体を内包するための流体袋を含み、
少なくとも前記第２の加圧手段および前記制御手段を含み、前記第１の加圧手段を着脱可能な筐体と、
前記流体袋と前記第２の加圧手段とを接続し、かつ、一端に前記第１の加圧手段を接続可能な配管と、
前記第１の加圧手段と前記配管とを接続するための接続部と、
前記第１の加圧手段が前記接続部に接続されたことを検知するための接続検知手段とをさらに備える、請求項１に記載の電子血圧計。
【請求項３】
前記制御手段は、前記接続検知手段により接続が検知された場合に、手動による前記第１の加圧手段の加圧操作に基づいて、血圧測定のための処理を実行するための第１の処理手段をさらに含む、請求項２に記載の電子血圧計。
【請求項４】
前記制御手段は、前記接続検知手段により接続が検知されなかった場合に、前記第２の加圧手段を駆動することにより、加圧処理を実行するための前記第２の処理手段をさらに含む、請求項２または３に記載の電子血圧計。
【請求項５】
前記カフは、流体を内包するための流体袋を含み、
少なくとも前記第２の加圧手段および前記制御手段を含む筐体と、
前記流体袋と、前記第１の加圧手段および前記第２の加圧手段とを接続するための配管と、
前記配管に設けられた切替弁とをさらに備え、
前記制御手段は、前記判断手段による判断結果に基づいて、前記切替弁の開放および閉鎖を制御するための弁制御手段をさらに含む、請求項１に記載の電子血圧計。
【請求項６】
前記制御手段は、
前記弁制御手段により前記切替弁が開放された場合に、手動による前記第１の加圧手段の加圧操作に基づいて、血圧測定のための処理を実行するための第１の処理手段と、
前記弁制御手段により前記切替弁が閉鎖された場合に、前記第２の加圧手段を駆動することにより、加圧処理を実行するための第２の処理手段とをさらに含む、請求項５に記載の電子血圧計。
【請求項７】
前記弁制御手段は、前記判断手段により、前記電池の電圧が前記所定値以上であると判断された場合に前記切替弁を閉鎖し、前記電池の電圧が前記所定値未満であると判断された場合に前記切替弁を開放する、請求項５または６に記載の電子血圧計。
【請求項８】
太陽光を受光し、受光した光エネルギーを電気エネルギーに変換するための太陽電池をさらに備え、
前記電池は、前記太陽電池が発電した電気エネルギーを蓄えるための蓄電池である、請求項１〜７のいずれかに記載の電子血圧計。
【発明の詳細な説明】
【技術分野】
【０００１】
本発明は、電子血圧計に関し、特に、自動加圧機構および手動加圧機構を備えた電子血圧計に関する。
【背景技術】
【０００２】
血圧計におけるカフの加圧手段は、加圧ポンプなどで自動加圧させるタイプと、ゴム球などで手動加圧させるタイプとに分類される。従来の血圧計は、一般的に、いずれか一方の加圧手段しか備えていない。そのため、ユーザは、購入時に、加圧タイプを選択しなくてはならない。
【０００３】
従来より、手動加圧手段と自動加圧手段とを備えた血圧計も提案されている。たとえば特許文献１の血圧計は、自動加圧機構としての加圧ポンプと、手動加圧機構としての加圧球とを備えている。
【特許文献１】実開平２−１５１０５号公報
【発明の開示】
【発明が解決しようとする課題】
【０００４】
血圧計の電池の寿命は、自動加圧タイプと手動加圧タイプとでは大きく異なる。自動加圧タイプでは、２００〜３００回程度の測定しかできないのに対し、手動加圧タイプでは、１，０００回程度の測定ができる。これは、電池容量の問題もあるが、自動加圧タイプの加圧ポンプは消費電流が大きく、加圧開始時の電圧ドロップ（たとえば０．５Ｖ以上）が影響するためである。
【０００５】
例えば、乾電池４本（定格６Ｖ）で駆動する装置は、自動加圧タイプであれば、４．５Ｖ〜４．０Ｖ程度でバッテリーロー電圧になってしまう。バッテリーロー電圧になると、電池交換しなければ測定できない。しかしながら、乾電池の終止電圧としては０．９Ｖ（４本で３．６Ｖ）程度とされているので乾電池を使い切る以前に廃棄されることになり、環境面でも負担が大きい。
【０００６】
そのため、電池寿命という観点からは、手動加圧タイプが有利であるが、ユーザにとっては操作が面倒である。
【０００７】
また、例えば、通常は自動加圧タイプで満足なユーザであっても、手動加圧タイプでも使用したい場合も想定される。たとえば、手動加圧のメリットとしては、自分の血圧をある程度知っておけば、どの程度まで加圧すればよいのか分かるので、自動加圧に比べてユーザの苦痛を軽減できることである。しかし、血圧計が一方の加圧手段しか備えていないと、そのようなユーザの要望に応えることができない。
【０００８】
しかしながら、特許文献１において、加圧球は、聴診法による手動計測モードにおいて使用されるのみで、加圧ポンプおよび加圧球とのどちらで加圧しても自動的に血圧が測定（算出）されるものではない。
【０００９】
本発明は、上記のような問題を解決するためになされたものであって、その目的は、電池の電圧に応じて、自動加圧と手動加圧とを切替えることのできる電子血圧計を提供することである。
【課題を解決するための手段】
【００１０】
この発明のある局面に従う電子血圧計は、被測定者の血圧を測定するための電子血圧計であって、電池と、被測定者の所定の身体部位に巻き付けるためのカフと、カフ内の圧力を検知するための検知手段と、手動操作に応じて、カフを加圧するための第１の加圧手段と、電池に蓄えられた電力を駆動源としてカフを加圧するための第２の加圧手段と、電子血圧計の制御を行なうための制御手段とを備え、制御手段は、電池の電圧が、所定値以上であるか否かを判断するための判断手段と、判断手段により、電池の電圧が所定値未満であると判断された場合に、第１の加圧手段による加圧の遂行を報知する処理を行なうための報知処理手段と、第１の加圧手段および第２の加圧手段のいずれか一方による加圧に応じて、被測定者の血圧を算出するための算出手段とを含む。
【００１１】
好ましくは、カフは、流体を内包するための流体袋を含み、少なくとも第２の加圧手段および制御手段を含み、第１の加圧手段を着脱可能な筐体と、流体袋と第２の加圧手段とを接続し、かつ、一端に第１の加圧手段を接続可能な配管と、第１の加圧手段と配管とを接続するための接続部と、第１の加圧手段が接続部に接続されたことを検知するための接続検知手段とをさらに備える。
【００１２】
好ましくは、制御手段は、接続検知手段により接続が検知された場合に、手動による第１の加圧手段の加圧操作に基づいて、血圧測定のための処理を実行するための第１の処理手段をさらに含む。
【００１３】
好ましくは、制御手段は、接続検知手段により接続が検知されなかった場合に、第２の加圧手段を駆動することにより、加圧処理を実行するための第２の処理手段をさらに含む。
【００１４】
好ましくは、カフは、流体を内包するための流体袋を含み、少なくとも第２の加圧手段および制御手段を含む筐体と、流体袋と、第１の加圧手段および第２の加圧手段とを接続するための配管と、配管に設けられた切替弁とをさらに備え、制御手段は、判断手段による判断結果に基づいて、切替弁の開放および閉鎖を制御するための弁制御手段をさらに含む。
【００１５】
好ましくは、制御手段は、弁制御手段により切替弁が開放された場合に、手動による第１の加圧手段の加圧操作に基づいて、血圧測定のための処理を実行するための第１の処理手段と、弁制御手段により切替弁が閉鎖された場合に、第２の加圧手段を駆動することにより、加圧処理を実行するための第２の処理手段とをさらに含む。
【００１６】
好ましくは、弁制御手段は、判断手段により、電池の電圧が所定値以上であると判断された場合に切替弁を閉鎖し、電池の電圧が所定値未満であると判断された場合に切替弁を開放する。
【００１７】
好ましくは、太陽光を受光し、受光した光エネルギーを電気エネルギーに変換するための太陽電池をさらに備え、電池は、太陽電池が発電した電気エネルギーを蓄えるための蓄電池である。
【発明の効果】
【００１８】
本発明によると、電池の電圧に応じて第１の加圧手段（手動加圧）と第２の加圧手段（自動加圧）とを切替えることができる。
【発明を実施するための最良の形態】
【００１９】
本発明の実施の形態について図面を参照しながら詳細に説明する。なお、図中同一または相当部分には同一符号を付してその説明は繰返さない。
【００２０】
［実施の形態１］
＜外観および構成について＞
（外観について）
はじめに図１および図２を参照して、本実施の形態における電子血圧計（以下、「血圧計」と略す）１の外観について説明する。
【００２１】
図１は、本発明の実施の形態１における血圧計１の外観を示す図である。
図１を参照して、血圧計１は、本体部１０と、被測定者のたとえば上腕に巻付けるためのカフ２０と、本体部１０とカフ２０とを接続するためのエアチューブ２４Ａとを備える。また、血圧計１は、手動式の加圧機構として、ゴム球ユニット３０を備えている。ゴム球ユニット３０は、本体部１０に対して、着脱可能であってよい。
【００２２】
ゴム球ユニット３０は、ゴム球３０Ａおよび、ゴム球３０Ａと本体部１０とを接続するためのエアチューブ２４Ｂとを含む。ゴム球３０Ａは、ユーザ（被測定者または測定補助者）により押圧操作されることで、エアチューブ２４（２４Ａ，２４Ｂ，２４Ｃ）を介して、カフ２０に、空気を送り込む。
【００２３】
なお、本実施の形態において、加圧媒体は空気であることとするが、加圧媒体は、空気以外の流体（たとえば液体やゲル）、あるいは、マイクロビーズなどの均一な微粒子であってもよい。
【００２４】
図２は、本発明の実施の形態１における本体部１０を後方から見た斜視図である。
図１および図２を参照して、本体部１０は、５面体であり、机などの台と接する設置面と、設置面と所定の角度をなす表面１０Ａと、設置面に対して垂直な面である２つの側面１０Ｂ，１０Ｃおよび背面１０Ｄとを有している。
【００２５】
本体部１０の表面１０Ａには、測定結果などを表示するための表示部４０と、ユーザ（代表的に被測定者）からの指示の入力を受付けるための操作部４１とが配置される。操作部４１は、たとえば、電源のＯＮ／ＯＦＦを切替えるための電源スイッチ４１Ａ、測定開始の指示を入力するための測定スイッチ４１Ｂ、および、過去の測定結果を読出して表示する指示を入力するためのメモリスイッチ４１Ｃとを含む。
【００２６】
表示部４０は、たとえば液晶等のディスプレイにより構成される。
本体部１０の左側面１０Ｂには、上述のエアチューブ２４Ａが接続され、エアチューブ２４Ｂを接続するための接続部６１Ａ（図３）が設けられる。
【００２７】
本体部１０の背面１０Ｄには、太陽電池（ソーラーパネル）５０が配置される。これにより、血圧計１を室内の窓際など外光が差す場所に置くと、太陽電池５０が太陽光を受光し、受光した光エネルギーを電気エネルギーに変換する。つまり、太陽電池５０は、受光量に応じて、電気エネルギーを発生する。発生した電気エネルギーは、本体部１０に内蔵された充電池５１に出力される。
【００２８】
なお、血圧計１の本体部１０の形状はこのような例に限定されない。また、手動式の加圧機構としてゴム球ユニット３０を備えることとしたが、これに限定されない。
【００２９】
（構成について）
次に、本実施の形態における血圧計１の構成について説明する。
【００３０】
図３は、本発明の実施の形態１における血圧計１のハードウェア構成を示すブロック図である。
【００３１】
図３を参照して、血圧計１のカフ２０は、空気が内包される空気袋２１を含む。空気袋２１は、エアチューブ２４Ａおよび本体部１０内のエアチューブ２４Ｃを介して、本体部１０に内蔵されたエア系２５と接続される。また、エアチューブ２４Ｃは、一端に、ゴム球ユニット３０が接続可能な接続部６１Ａ（後述）が設けられる。なお、エアチューブ２４Ａとエアチューブ２４Ｃとは、一体に形成されていてよい。
【００３２】
ゴム球３０Ａは、空気袋２１にエアチューブ２４Ａ，Ｂ，Ｃを介して空気を供給または排出する。ゴム球３０Ａの所定の位置には、空気を排出するための極小な排気口３１が設けられている。また、ゴム球３０は、操作部４１に含まれる専用スイッチ（図示せず）が押下されることで空気を急速に排気することができる。ユーザは、ゴム球３０Ａの押圧操作をすることで、空気袋２１に空気を供給することができる。
【００３３】
エア系２５は、空気袋２１内の圧力（以下、「カフ圧」という）を検出するための圧力センサ３２と、空気袋２１に空気を供給するためのポンプ３３と、空気袋２１の空気を排出しまたは封入するために開閉される排気弁３４とを含む。
【００３４】
本体部１０は、各部を集中的に制御および監視するためのＣＰＵ（Central Processing Unit）１００と、不揮発性のメモリ部３９と、表示部４０と、操作部４１と、電源部４２と、時刻を計測するための計時部４３とを内蔵する。また、本体部１０は、エア系２５に関連して、発振回路３５と、ポンプ３３を駆動するためのポンプ駆動回路３６と、排気弁３４を駆動するための弁駆動回路３７と、ゴム球ユニット３０から空気袋２１への空気の流入の可否を切替えるための切替部６１とをさらに備える。
【００３５】
ポンプ３３、排気弁３４、ポンプ駆動回路３６および弁駆動回路３７は、自動加圧機構６０を構成する。ポンプ駆動回路３６はポンプ３３の駆動をＣＰＵ１００から与えられる制御信号に基づいて制御する。弁駆動回路３７は排気弁３４の開閉制御をＣＰＵ１００から与えられる制御信号に基づいて行なう。
【００３６】
圧力センサ３２は、カフ圧により容量値が変化する。発振回路３５は、圧力センサ３２の容量値に応じた発振周波数の信号をＣＰＵ１００に出力する。ＣＰＵ１００は、発振回路３５から得られる信号を圧力に変換し圧力を検知する。
【００３７】
切替部６１は、ゴム球ユニット３０と本体部１０内のエアチューブ２４Ｃとを接続するための接続部６１Ａを含む。接続部６１Ａは、たとえば、ゴム球ユニット３０のエアチューブ２４Ｂの端子（図示せず）を差し込み可能な弁（以下「接続弁」という）である。接続弁は、エアチューブ２４Ｂの端子が接続されていない場合には閉じ、エアチューブ２４Ｂの端子が差し込まれると開く。これにより、エアチューブ２４Ｂの端子が差し込まれた場合にのみ、ゴム球３０Ａからの空気の供給および排気が可能とされる。
【００３８】
切替部６１は、さらに、ゴム球ユニット３０が接続されたことを検知するための接続センサ６１Ｂを含む。接続センサ６１Ｂは、ゴム球ユニット３０が接続された場合に、ＣＰＵ１００に対し、検知信号を送信する。
【００３９】
メモリ部３９は、ＣＰＵ１００に所定の動作をさせるプログラムや測定結果情報などの各種情報を記憶する。
【００４０】
電源部４２は、操作部４１からの電源ＯＮの指示によりＣＰＵ１００に電力を供給する。電源部４２は、太陽電池５０が出力する電気エネルギーを蓄えるための充電池（蓄電池）５１を含む。血圧計１は、充電池５１に蓄えられた電気エネルギーを駆動源として動作する。充電池５１は、たとえばニッケル水素電池である。
【００４１】
このように、血圧計１は、手動加圧機構であるゴム球ユニット３０を備えている。そのため、ゴム球ユニット３０を備えない血圧計と比べて、充電池５１の効率を向上させることができる。具体的には、数時間程度、太陽光による充電をした場合、自動加圧機構６０では、１０回程度測定できる充電量しか得られないが、ゴム球ユニット３０によると、１００回程度の測定が可能となる。
【００４２】
なお、本実施の形態における血圧計１は、太陽電池５０および充電池５１を備えることとしたが、これらに代えて、乾電池を備えることとしてもよい。
【００４３】
また、自動加圧機構６０は、上記構成に限定されない。
図４は、本発明の実施の形態１における血圧計１の機能構成を示す機能ブロック図である。なお、ＣＰＵ１００と直接的に信号の授受を行なわないハードウェアについては図示を省略している。
【００４４】
図４を参照して、ＣＰＵ１００は、電圧判断部１０２と、報知処理部１０４と、接続判断部１０６と、手動処理部１０８と、自動処理部１１０と、算出部１１２とを含む。
【００４５】
電圧判断部１０２は、電源部４２の充電池５１の電圧が、所定値以上であるか否かを判断する。その判断結果は、報知処理部１０４に出力される。ここで、「所定値」とはバッテリーロー閾値すなわち、自動加圧機構６０により血圧の測定が可能な電圧の下限値である。
【００４６】
図５は、バッテリー閾値と測定回数との関係を示すグラフである。
図５のグラフにおいて、縦軸が電池電圧（単位：Ｖ）、横軸が測定回数で表わされる。自動加圧機構６０しか備えていない一般的な血圧計であれば、電池電圧が、バッテリー閾値Ｖａ以下になった場合には、電池交換をしなければならない。つまり、電池電圧がバッテリー閾値Ｖａ以下であれば、自動加圧機構６０での測定は不可能となる。これに対し、本実施の形態の血圧計１は、ゴム球ユニット３０も備えているため、電池電圧がバッテリー閾値以下になっても、ゴム球ユニット３０による測定は可能である。つまり、ゴム球ユニット３０によると、自動加機構６０での最大測定回数Ｎａ以上、良好に血圧を測定することができる。
【００４７】
報知処理部１０４は、電圧判断部１０２による判断結果に基づいて、自動加圧の可否をユーザに報知する処理を行なう。より具体的には、電圧判断部１０２により、充電池５１の電圧が所定値未満であると判断された場合に、ゴム球ユニット３０による加圧の遂行を報知する。報知処理部１０４は、自動加圧の可否の情報を、たとえば、表示部４０に表示する。
【００４８】
接続判断部１０６は、接続センサ６１Ｂからの検知信号の有無に基づいて、ゴム球ユニット３０が本体部１０に接続されたか否かを検知する。なお、本実施の形態では、接続センサ６１Ｂにより接続の有無を判定することとしたが、これに限定されるものではない。
【００４９】
手動処理部１０８は、接続判断部１０６によりゴム球ユニット３０が接続されていると判断された場合に、ユーザによるゴム球ユニット３０（ゴム球３０Ａ）の加圧操作に基づいて、血圧測定のための処理を実行する。「血圧測定のための処理」とは、カフ圧が所定値(たとえば５０ｍｍＨｇ)に達した場合に脈波測定を開始する処理を少なくとも含み、検知したカフ圧を表示する処理、および／または、所定値（たとえば１８０ｍｍＨｇ）に達した場合に加圧操作の終了をユーザに報知する処理をさらに含む。
【００５０】
自動処理部１１０は、接続判断部１０６によりゴム球ユニット３０が接続されていないと判断された場合に、自動加圧機構６０を駆動することにより、カフ２０の加圧処理および減圧処理を実行する。自動処理部１１０もまた、カフ圧がたとえば５０ｍｍＨｇに達した場合に脈波測定を開始することとしてもよい。
【００５１】
算出部１１２は、手動処理部１０８および自動処理部１１０のいずれか一方による処理に応じて、被測定者の血圧を算出する。血圧は、たとえば公知の手法（たとえばオシロメトリック法）により算出されてよい。算出された血圧は、たとえば、表示部４０に表示されるとともに、メモリ部３９の所定の領域（測定結果記憶領域）に記憶される。
【００５２】
なお、図４においてＣＰＵ１００に含まれた各機能ブロックの動作は、メモリ部３９中に格納されたソフトウェアを実行することで実現されてもよいし、少なくとも１つについては、ハードウェアで実現されてもよい。
【００５３】
＜動作について＞
本実施の形態における血圧計１の動作について、具体的に説明する。
【００５４】
図６は、本発明の実施の形態１における血圧計１のＣＰＵ１００が実行する血圧測定処理を示すフローチャートである。図６のフローチャートに示す処理は、予めプログラムとしてメモリ部３９に格納されており、ＣＰＵ１００がこのプログラムを読み出して実行することにより、血圧測定処理の機能が実現される。なお、この処理は、たとえば、電源スイッチ４１Ａが押下された場合に開始されるものとする。
【００５５】
図６を参照して、電圧判断部１０２は、充電池５１の電圧を検知する（ステップＳ２）。電圧判断部１０２は、充電池５１の電圧が、所定値たとえばバッテリー閾値以上であるか否かを判断する（ステップＳ４）。充電池５１の電圧がバッテリー閾値以上であると判断された場合（ステップＳ４においてＹＥＳ）、ステップＳ６に進む。一方、充電池５１の電圧が、バッテリー閾値未満であると判断された場合（ステップＳ４においてＮＯ）、ステップＳ８に進む。
【００５６】
ステップＳ６において、報知処理部１０４は、表示部４０に、自動加圧が可能であることを表示する。ステップＳ８において、報知処理部１０４は、表示部４０に、手動加圧のみ可能であることを表示する。
【００５７】
図７は、図６のステップＳ６において表示される画面の一例を示す図である。
図７を参照して、表示部４０の所定の領域には、それぞれ、「自動加圧可能」という文字４０１、および、「手動で加圧したい場合は、手動ユニットを接続して下さい。」というメッセージ４０２が表示される。これにより、ユーザの意思で自動加圧および手動加圧のいずれも選択可能であることが報知される。
【００５８】
図８は、図６のステップＳ８において表示される画面の一例を示す図である。
図８を参照して、表示部４０の所定の領域には、それぞれ、「手動加圧のみ可能」という文字４０３、および、「手動ユニットを接続して下さい。」というメッセージ４０４が表示される。これにより、充電池５１の電圧が低下しており、ゴム球ユニット３０でしか測定できないことが報知される。
【００５９】
ステップＳ６またはＳ８の処理が終わると、ステップＳ１０に進む。
ステップＳ１０において、ＣＰＵ１００は、測定スイッチ４１Ｂが押下されたか否かを判断する。測定スイッチ４１Ｂが押下されるまで待機する（ステップＳ１０においてＮＯ）。測定スイッチ４１Ｂが押下されたと判断した場合（ステップＳ１０においてＹＥＳ）、ステップＳ１２に進む。
【００６０】
ステップＳ１２において、接続判断部１０６は、接続センサ６１Ｂからの検知信号に基づいて、ゴム球ユニット３０が接続されたか否かを判断する。ゴム球ユニット３０が接続されたと判断された場合（ステップＳ１２においてＹＥＳ）、ステップＳ１８に進む。ゴム球ユニット３０が接続されていないと判断された場合（ステップＳ１２においてＮＯ）、ステップＳ１４に進む。
【００６１】
ステップＳ１４において、自動処理部１１０は、ポンプ駆動回路３６に制御信号を送信し、ポンプ３３の駆動を開始する。自動処理部１１０は、カフ圧を徐々に上昇させる。自動処理部１１０は、徐々に加圧する過程において、所定値（たとえば１８０ｍｍＨｇ）にまでカフ圧が達すると、ポンプ３３を停止する。
【００６２】
続いて、自動処理部１１０は、弁駆動回路３７に制御信号を送信し、閉じていた排気弁３４を徐々に開いて、空気袋２１の空気を徐々に排気する（ステップＳ１６）。これにより、カフ圧が徐々に減圧される。本実施の形態では、カフ圧の微速減圧過程において血圧を測定する。なお、自動加圧の場合は、カフ圧の加圧過程において血圧を測定することとしてもよい。
【００６３】
ステップＳ１６の処理が終わると、ステップＳ２４に進む。
ステップＳ１８において、手動処理部１０８は、表示部４０に、ゴム球３０Ａの加圧促進を表示する。具体的には、たとえば、「ゴム球で加圧操作して下さい」というメッセージが表示される。手動処理部１０８は、発振回路３５からの信号に基づき、カフ圧が所定値（たとえば５０ｍｍＨｇ）に到達したか否かを判断する（ステップＳ２０）。カフ圧が所定値に達するまで待機する（ステップＳ２０においてＮＯ）。カフ圧が所定値に達したと判断された場合（ステップＳ２０においてＹＥＳ）、ステップＳ２２に進む。
【００６４】
ステップＳ２２において、手動処理部１０８は、表示部４０に、血圧測定中を表示する。本実施の形態では、カフ圧の値が表示部４０に表示されるため、ユーザは、どの程度まで加圧操作すればよいかを把握することができる。ユーザによるゴム球３０Ａの加圧操作が終了されると、ゴム球３０Ａの排気口３１より徐々に空気が排気される。その結果、カフ圧が徐々に減圧される。
【００６５】
ステップＳ２２の処理が終わると、ステップＳ２４に進む。
ステップＳ２４において、算出部１１２は、公知の手順で血圧（最高血圧、最低血圧）を算出する。具体的には、カフ圧が徐々に減圧する過程において、算出部１１２は、発振回路３５から得られる発振周波数に基づき脈波情報を抽出する。そして、抽出された脈波情報により血圧を算出する。
【００６６】
血圧が算出されると、ＣＰＵ１００は、算出された血圧をメモリ部３９の測定結果記憶領域に記憶し（ステップＳ２６）、表示部４０に表示する（ステップＳ２８）。なお、血圧は、計時部４３が計測した時刻と対応付けて記憶、および、表示されてよい。
【００６７】
以上で、本実施の形態における血圧測定処理は終了される。
本実施の形態によると、電池５１の電圧がバッテリーロー閾値以上であれば、ユーザの判断にて、被測定者の条件（加圧による苦痛を軽減させたい子供など）に応じた有利な加圧手段を選択することができる。その結果、血圧の測定精度が向上する。
【００６８】
また、充電池５１の電圧がバッテリーロー閾値未満になった場合であっても、ゴム球ユニット３０によると充電池５１を終止電圧付近まで使いきることができる。そのため、充電を繰り返すことによる充電池５１の劣化（充電池５１の寿命の短縮）を防止することができる。
【００６９】
なお、上述のように、本実施の形態における血圧計１の電源は、必ずしも太陽電池５０および充電池５１でなくてもよく、乾電池であってもよい。そのような場合も、乾電池を終止電圧付近まで使いきることができるため、ユーザにとって、乾電池買い替えのための累積コストを減少させることができる。また、ユーザの乾電池交換の手間を減少させることができる。
【００７０】
［実施の形態２］
本発明の実施の形態２における血圧計について説明する。
【００７１】
上記実施の形態１では、ゴム球ユニット３０は、血圧計１の本体部１０に対し着脱可能に構成された。そして、ゴム球ユニット３０の接続の有無に基づき、自動加圧と手動加圧とを切替えた。
【００７２】
実施の形態２では、充電池５１の電圧に基づいて、自動的に、手動加圧と自動加圧とを切替える。
【００７３】
なお、実施の形態２における血圧計の外観、基本的な構成および動作は、上記実施の形態１と同様である。したがって、実施の形態１と異なる部分のみ以下に説明する。
【００７４】
図９は、本発明の実施の形態２における血圧計１のハードウェア構成を示すブロック図である。なお、実施の形態２では、ゴム球ユニット３０は、本体部１０と常時接続されていてよいものとする。したがって、ゴム球ユニット３０のエアチューブ２４Ｂと、本体部１０内のエアチューブ２４Ｃとは、一体であってもよい。
【００７５】
図９を参照して、実施の形態２における切替部６１は、切替弁６２を含む。切替弁６２は、エアチューブ２４Ｃに設けられ、ゴム球ユニット３０からの空気の流入の可否を切替える。切替弁６２は、ＣＰＵ１００により開放および閉鎖が制御される。
【００７６】
図１０は、本発明の実施の形態２における血圧計１の機能構成を示す機能ブロック図である。
【００７７】
図１０を参照して、本実施の形態におけるＣＰＵ１００Ａは、実施の形態１の報知処理部１０４および接続判断部１０６に代えて、報知処理部１０４Ａおよび弁制御部１２０がそれぞれ設けられる。
【００７８】
弁制御部１２０は、電圧判断部１０２により判断された充電池５１の電圧に基づいて、切替弁６２の制御を行なう。弁制御部１２０の具体的な制御は後述する。
【００７９】
本実施の形態において、手動処理部１０８および自動処理部１１０は、電圧判断部１０２の判断結果に応じて機能する。
【００８０】
図１１は、本発明の実施の形態２における血圧計１のＣＰＵ１００Ａが実行する処理の流れを示すフローチャートである。なお、実施の形態１における図６のフローチャートに示した処理と同様の処理については、同じステップ番号を付してある。そのため、これらの説明は繰返さない。
【００８１】
図１１を参照して、本実施の形態では、図６のステップＳ６に代えて、ステップＳ６ＡおよびステップＳ１０７が実行される。図６のステップＳ８に代えて、ステップＳ８ＡおよびステップＳ１０９が実行される。図６のステップＳ１２に代えて、ステップＳ１１２の処理が実行される。
【００８２】
ステップＳ６Ａにおいて、報知処理部１０４Ａは、表示部４０に、自動加圧することを表示する。ステップＳ１０７において、弁制御部１２０は、切替弁６２に制御信号を送信し、切替弁６２を閉鎖する。これにより、ゴム球ユニット３０からの空気の流入および流出は不可とされる。
【００８３】
ステップＳ８Ａにおいて、報知処理部１０４Ａは、表示部４０に、手動加圧することを表示する。ステップＳ１０９において、弁制御部１２０は、切替弁６２に制御信号を送信し、切替弁６２を開放する。これにより、ゴム球ユニット３０からの空気の流入および流出が可能とされる。
【００８４】
図１２は、図１１のステップＳ６Ａにおいて表示される画面の一例を示す図である。図１２を参照して、表示部４０の所定の領域には、「自動加圧します。」というメッセージ４１１が表示される。これにより、自動加圧機構６０により自動加圧されることが、ユーザに報知される。
【００８５】
図１３は、図１１のステップＳ８Ａにおいて表示される画面の一例を示す図である。図１３を参照して、表示部４０の所定の領域には、「手動加圧します。」というメッセージ４１３が表示される。これにより、ゴム球ユニット３０による手動加圧が必要なことが、ユーザに報知される。
【００８６】
再び図１１を参照して、ステップＳ１１２において、ＣＰＵ１００は、切替弁６２が開放されているか否かを判断する。すなわち、電圧判断部１０２により充電池５１の電圧はバッテリー閾値以上であると判断されたか否かを判断する。切替弁６２が開放されていると判断した場合（ステップＳ１１２においてＹＥＳ）、ステップＳ１８に進む。切替弁６２が閉鎖されていると判断された場合（ステップＳ１１２においてＮＯ）、ステップＳ１４に進む。
【００８７】
このように、本実施の形態によると、充電池５１の電圧に応じて、自動的に、自動加圧と手動加圧とが切替えられる。そのため、本実施の形態においても、効率良く、充電池５１の電圧を使い切ることができる。
【００８８】
また、ゴム球ユニット３０が本体部１０に接続されたままでも、自動的に、自動加圧と手動加圧とが切替えられる。そのため、ゴム球ユニット３０の着脱の手間を省くことができる。
【００８９】
（変形例）
上述のように、実施の形態２では、ゴム球ユニット３０が本体部１０に常時接続された状態でも、充電池５１の電圧に応じて切替弁６２を制御することで、手動加圧と自動加圧とを切替えることができた。なお、充電池５１の電圧が自動加圧可能であることを示している場合には、自動加圧と手動加圧とのうちいずれかをユーザが選択できてもよい。
【００９０】
このような場合を、実施の形態２の変形例として簡単に説明する。
変形例では、たとえば、図１１のステップＳ６Ａにおいて、さらに、自動加圧と手動加圧とのうちいずれかを選択させるための表示を行なう。ユーザにより自動加圧が選択されると、ステップＳ１０７に進み、手動加圧が選択されると、ステップＳ１０９に進む。
【００９１】
図１４は、本発明の実施の形態２の変形例において、図１１のステップＳ６Ａで表示される画面の一例を示す図である。
【００９２】
図１４を参照して、表示部４０の所定の領域には、「自動加圧可能」という文字４０１と、自動加圧および手動加圧それぞれを選択するためのボタン４２１，４２２が表示される。
【００９３】
このように、実施の形態２の変形例では、ゴム球ユニット３０が本体部１０と接続された状態でも、実施の形態１と同様の効果を奏することができる。すなわち、充電池５１の電圧がバッテリー閾値以上であれば、ユーザの判断にて、被測定者の条件（加圧による苦痛を軽減させたい子供など）に応じた有利な加圧手段を選択することができる。その結果、血圧の測定精度が向上する。
【００９４】
なお、上記実施の形態１，２およびその変形例では、自動加圧と手動加圧とを切替えるための電圧の閾値（所定値）は、バッテリーロー電圧であることとした。しかしながら、バッテリーロー電圧よりも所定の値だけ高い電圧を定めてもよい。満充電時の加圧時間とバッテリーロー電圧付近の加圧時間とでは、測定条件によっては数秒程度の差が出る場合があるが、そのようにすると、加圧時間に大きく差が出る前に手動加圧に切替えることができる。その結果、加圧時間が長くなることによるユーザの苦痛を軽減することができる。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９６】
【図１】本発明の各実施の形態における血圧計の外観を示す図である。
【図２】本発明の各実施の形態における血圧計の本体部を後方から見た斜視図である。
【図３】本発明の実施の形態１における血圧計のハードウェア構成を示すブロック図である。
【図４】本発明の実施の形態１における血圧計の機能構成を示す機能ブロック図である。
【図５】バッテリー閾値と測定回数との関係を示すグラフである。
【図６】本発明の実施の形態１における血圧計のＣＰＵが実行する血圧測定処理を示すフローチャートである。
【図７】図６のステップＳ６において表示される画面の一例を示す図である。
【図８】図６のステップＳ８において表示される画面の一例を示す図である。
【図９】本発明の実施の形態２における血圧計のハードウェア構成を示すブロック図である。
【図１０】本発明の実施の形態２における血圧計の機能構成を示す機能ブロック図である。
【図１１】本発明の実施の形態２における血圧計のＣＰＵが実行する処理の流れを示すフローチャートである。
【図１２】図１１のステップＳ６Ａにおいて表示される画面の一例を示す図である。
【図１３】図１１のステップＳ８Ａにおいて表示される画面の一例を示す図である。
【図１４】本発明の実施の形態２の変形例において、図１１のステップＳ６Ａで表示される画面の一例を示す図である。
【符号の説明】
【００９７】
１  血圧計、１０  本体部、１０Ａ  表面、１０Ｂ，１０Ｃ  側面、１０Ｄ  背面、２０  カフ、２１  空気袋、２４Ａ，Ｂ，Ｃ  エアチューブ、２５  エア系、３０  ゴム球ユニット、３０Ａ  ゴム球、３１  排気口、３２  圧力センサ、３３  ポンプ、３４  排気弁、３５  発振回路、３６  ポンプ駆動回路、３７  弁駆動回路、３９  メモリ部、４０  表示部、４１  操作部、４１Ａ  電源スイッチ、４１Ｂ  測定スイッチ、４１Ｃ  メモリスイッチ、４２  電源部、４３  計時部、５０  太陽電池、５１  充電池、６０  自動加圧機構、６１  切替部、６１Ａ  接続部、６１Ｂ  接続センサ、６２  切替弁、１００  ＣＰＵ、１０２  電圧判断部、１０４，１０Ａ  報知処理部、１０６  接続判断部、１０８  手動処理部、１１０  自動処理部、１１２  算出部、１２０  弁制御部。
【図１】
2009195599.tif 000003
【図２】
2009195599.tif 000004
【図３】
2009195599.tif 000005
【図４】
2009195599.tif 000006
【図５】
2009195599.tif 000007
【図６】
2009195599.tif 000008
【図７】
2009195599.tif 000009
【図８】
2009195599.tif 000010
【図９】
2009195599.tif 000011
【図１０】
2009195599.tif 000012
【図１１】
2009195599.tif 000013
【図１２】
2009195599.tif 000014
【図１３】
2009195599.tif 000015
【図１４】
2009195599.tif 000016